(57)【要約】      （修正有）【課題】同じ構成の横棒をポールの任意の高さに取り付けることが可能なうえ、簡単なワンタッチ操作で横棒の伸縮を行うことができるのぼり用横棒を提供する。【解決手段】のぼり用のポールの周面上を摺動可能に形成された可動筒体１０と、該可動筒体の外側面に接合され、横方向に支持された伸縮式バー２０とを備えたのぼり用横棒１であって、可動筒体の筒壁には、上下方向に３個のボルト挿通孔が形成され、該ボルト挿通孔の外面側には該ボルト挿通孔に連通してそれぞれナットが固着されると共に、該ナットに位置決めボルト１２が螺合され、最上段の位置決めボルトは、可動筒体の内方に突出してポールの上端面に当接可能であり、しかも、次段及び最下段の位置決めボルトと同様に、ポールの外周面を押圧可能としてなり、伸縮式バーは、径の異なる複数本のパイプを順次摺動可能に嵌合して形成されると共に、所定の伸長状態と収縮状態とでそれぞれ固定するロック部材２３を備える。【選択図】図１
0003152431.tif 000002
【実用新案登録請求の範囲】
【請求項１】
のぼり用のポールを内嵌し、該ポールの周面上をその上下方向に沿って摺動可能に形成された可動筒体と、該可動筒体の外側面に接合され、横方向に支持された伸縮式バーとを備えたのぼり用横棒であって、
可動筒体の筒壁には、上下方向に３個のボルト挿通孔が形成され、該ボルト挿通孔の外面側には該ボルト挿通孔に連通してそれぞれナットが固着されると共に、該ナットに位置決めボルトが螺合され、最上段の位置決めボルトは可動筒体の内方に突出してポールの上端面に当接可能であり、しかも、次段及び最下段の位置決めボルトと同様に、ポールの外周面を押圧可能としてなり、
伸縮式バーは、径の異なる複数本のパイプを順次摺動可能に嵌合して形成されると共に、所定の伸長状態と収縮状態とでそれぞれ固定するロック部材を具備したことを特徴とするのぼり用横棒。
【請求項２】
ロック部材が、バネ作動及び押し込み解除式のロックピンによって、伸長及び収縮状態が位置決め・保持されるように形成されたことを特徴とする請求項１記載ののぼり用横棒。
【考案の詳細な説明】
【技術分野】
【０００１】
本考案は、のぼり用横棒に関する。
【背景技術】
【０００２】
従来より、のぼり用横棒としては、旗布の上縁部を支持する係止片を備える以外は何の変哲もない棒状体が使用されており、かかる横棒をポールに取り付ける手段としては、ポールの上端近傍に横孔を貫通させ、該横孔に横棒を通して、該横棒をナットやネジで締め付けて固定するのが一般的である。（例えば、特許文献１参照）
【特許文献１】実用新案登録第３０５６０８４号公報
【考案の開示】
【考案が解決しようとする課題】
【０００３】
そのため、１本のポールに複数の旗布を掲げる場合には、取り付ける横棒の数だけポールに横孔を設ける等の作業が必要となり、使用に際しての横棒の取り付けに手間がかかり面倒である。
【０００４】
また、掲げる旗布の大きさに応じて行う横棒の長さ調節は、横棒の長さ自体を伸縮させるのではなく、単に横棒をスライドさせて横孔部分における横棒の締め付け位置を変えるだけなので、仮に横棒の長さの半分ほどの横幅の旗布を掲げる場合には、横棒の後ろ半分が旗布と反対方向に突出してしまうので、通行者の邪魔になるうえ見栄えも悪い。
【０００５】
そこで、本考案は、ポールの上端近傍に取り付けられる場合もそれ以外の場所に取り付けられる場合も同じ構成の横棒を使用することができると共に、ポールへの横棒の取り付けに際して複雑な作業を要することなく、しかも、横棒自体の長さ調節をロックピンを押し込むワンタッチの作業で手軽に行えるのぼり用横棒の提供を目的とする。
【課題を解決するための手段】
【０００６】
上記目的を達成するために請求項１に記載ののぼり用横棒は、のぼり用のポールを内嵌し、該ポールの周面上をその上下方向に沿って摺動可能に形成された可動筒体と、該可動筒体の外側面に接合され、横方向に支持された伸縮式バーとを備えたのぼり用横棒であって、可動筒体の筒壁には、上下方向に３個のボルト挿通孔が形成され、該ボルト挿通孔の外面側には該ボルト挿通孔に連通してそれぞれナットが固着されると共に、該ナットに位置決めボルトが螺合され、最上段の位置決めボルトは可動筒体の内方に突出してポールの上端面に当接可能であり、しかも、次段及び最下段の位置決めボルトと同様に、ポールの外周面を押圧可能としてなり、伸縮式バーは、径の異なる複数本のパイプを順次摺動可能に嵌合して形成されると共に、所定の伸長状態と収縮状態とでそれぞれ固定するロック部材を具備した。
【０００７】
かかる構成によれば、位置決めボルトを締め付けてポールの外周面を押圧固定する作業のみで、ポールの任意の高さで横棒を取り付けることが可能となり、しかも、横棒自体の長さ調節が可能となる。
【０００８】
また、かかる構成によれば、上下方向に３個備えた位置決めボルトのうち最上段のものは、次段及び最下段の位置決めボルトがポールの外周面を押圧固定するためにのみ使用されるのとは異なり、ポールの上端面と位置決めボルトの軸部側面とを当接させることにより、位置決めボルトの軸部を上下方向のストッパーとして使用することができる。
【０００９】
さらに、上記目的を達成するために請求項２に記載ののぼり用横棒は、ロック部材が、バネ作動及び押し込み解除式のロックピンによって、伸長及び収縮状態が位置決め・保持されるように形成した。
【００１０】
かかる構成によれば、掲げる旗布の大きさに応じて、横棒自体の長さ調節をロックピンを押し込むワンタッチの作業で手軽に行うことができる。
【考案の効果】
【００１１】
本考案ののぼり用横棒によれば、ポールの上端近傍に取り付けられる場合もそれ以外の場所に取り付けられる場合も同じ構成のものを使用することができると共に、ポールへの横棒の取り付けに際して複雑な作業を要することなく、しかも、横棒自体の長さ調節をロックピンを押し込むワンタッチの作業で手軽に行える。
【図面の簡単な説明】
【００１２】
【図１】本考案ののぼり用横棒をポールに固定した時の状態を示した断面図。
【図２】本考案ののぼり用横棒を使用したのぼり全体の正面図。
【図３】本考案ののぼり用横棒の平面図。
【図４】ロック部材の断面図。
【考案を実施するための最良の形態】
【００１３】
次に、本考案の実施形態について図面を参照しながら説明する。
【００１４】
図１〜４は本考案の一実施形態に係り、図１は本考案ののぼり用横棒をポールに固定した時の状態を示した断面図、図２は本考案ののぼり用横棒を使用したのぼり全体の正面図、図３は本考案ののぼり用横棒の平面図、図４はロック部材の断面図である。
【００１５】
１は本考案ののぼり用横棒であり、ポール２を内嵌する可動筒体１０と、その外側面に接合され横方向に支持された伸縮式バー２０とからなる。可動筒体１０の内径は、ポール２の周面上を摺動可能とするために、ポール２の外径よりも若干大きく形成されている。
【００１６】
のぼり用横棒１の材質は、のぼり全体の強度を保持するためにスチール製とすることが好ましいが、何らこれに限定されるものではない。
【００１７】
可動筒体１０の筒壁には、上下方向に３個のボルト挿通孔が形成され、該ボルト挿通孔の外面側には該ボルト挿通孔に連通してそれぞれナット１１が容着されると共に、ナット１１にはそれぞれ位置決めボルト１２が螺合されている。
【００１８】
位置決めボルト１２のうち、ポール２の上端近傍に取り付けられるのぼり用横棒１の最上段の位置決めボルト１２のみ、ポール２の上端面と位置決めボルト１２の軸部側面とを当接させることにより、位置決めボルト１２の軸部を上下方向のストッパーとして使用し、その他の位置決めボルト１２はポール２の外周面を押圧固定するために使用する。
【００１９】
これにより、可動筒体１０をポール２の周面上で所望の位置までスライドさせ、位置決めボルト１２を締め付けする作業を行うだけで、ポール２の任意の高さにのぼり用横棒１を取り付けることができると共に、ポール２の上端近傍に取り付けられるのぼり用横棒１は、その他ののぼり用横棒１と比べて、上下方向の固定がよりしっかりとなされる。
【００２０】
伸縮式バー２０は、第一のパイプ２１に第二のパイプ２２が内嵌されて摺動可能に形成されたもので、第二のパイプ２２に付設されたロック部材２３により伸長及び収縮状態が位置決め・保持される。
【００２１】
かかる構成によれば、掲げる旗布の大きさに応じて、第二のパイプ２２を第一のパイプ２１内でスライドさせて位置決め・保持することで、のぼり用横棒自体の長さを適宜変化させることができるので、横棒のうち旗布を掲げるのに不必要な部分が後ろ側に突出してしまい、通行の妨げになるということはなく、見栄えも損なわれない。
【００２２】
ロック部材２３は、ロックピン２３ａが第二のパイプ２２から上方へ進退可能に突出して第一のパイプ２１に穿設したロック孔２３ｂに嵌入することにより、両パイプを互いに拘束して位置決めロックする。
【００２３】
このロック状態は、上方へ突出したロックピン２３ａを指等で押し込むことにより簡単に解除させることができる。
【００２４】
なお、本実施例においては、伸縮式バーを構成するパイプの数を２本とし、第二のパイプ２２にロック部材２３を設け、第一のパイプ２１に３個のロック孔２３ｂを穿設する構成としたが、かかる構成に限られないことは言うまでもない。
【００２５】
また、本実施例ののぼり用横棒１は、可動筒体１０の上端部がポール２の上端部よりも上方に突出した場合に、該上端部に被せて使用するキャップ３を備える。これにより、スチールの角部が露出していることによる危険を回避することができる。
【００２６】
さらに、本実施例ののぼり用横棒１は、伸縮式バー２０に装着されるクリップ４とポール２に装着される固定リング５を備える。クリップ４により旗布の上縁部を、固定リング５により旗布の側縁部下端を係止して旗布をしっかりと支持できる。
【符号の説明】
【００２７】
１      のぼり用横棒
２      ポール
３      キャップ
４      クリップ
５      固定リング
１０    可動筒体
１１    ナット
１２    位置決めボルト
２０    伸縮式バー
２１    第一のパイプ
２２、  第二のパイプ
２３    ロック部材
２３ａ  ロックピン
２３ｂ  ロック孔
【図１】
0003152431.tif 000003
【図２】
0003152431.tif 000004
【図３】
0003152431.tif 000005
【図４】
0003152431.tif 000006